(57)【要約】【課題】複数の医用装置の操作範囲が重複したとしても、各医用装置は複数のユーザからの操作を受け付けない、即ち、特定のユーザからの操作のみを受け付けること。【解決手段】  実施形態の医用装置操作システムは、複数の医用装置と、ユーザ識別情報、操作装置識別情報及びユーザ識別特定情報とが対応付けられた複数のユーザ情報を記憶する記憶手段を有したサーバ装置とが通信可能に接続されるシステムである。各医用装置は、ユーザの操作に応じて、ユーザ識別特定情報の入力を受け付けると、当該入力を受け付けたユーザ識別特定情報に対応付けられたユーザ識別情報を取得する。また、ユーザの操作に応じて、当該ユーザが医用装置本体の１つを操作するとして選択した旨を認識すると、当該選択された医用装置本体を識別するための装置識別情報を、取得したユーザ識別情報に対応付けられた操作装置識別情報として記録する。【選択図】図１
2015066376.tif 000002
【特許請求の範囲】
【請求項１】
ユーザ識別情報と、ユーザが操作している医用装置本体を識別するための操作装置識別情報と、前記ユーザ識別情報を特定するためのユーザ識別特定情報とが対応付けられた複数のユーザ情報を記憶する記憶手段と、
前記ユーザ及び当該ユーザの動作と音声とを認識するユーザ認識手段と、
前記認識されたユーザの操作に応じて、前記ユーザ識別特定情報の入力を受け付けると、当該入力を受け付けたユーザ識別特定情報に対応付けられたユーザ識別情報を前記記憶手段から取得するユーザ識別情報取得手段と、
前記認識されたユーザの操作に応じて、当該ユーザが前記医用装置本体を操作するとして選択した旨を認識すると、当該医用装置本体を識別するための装置識別情報を、前記取得されたユーザ識別情報に対応付けられた操作装置識別情報として前記記憶手段に書込む操作装置識別情報記録手段と、
を具備する医用装置。
【請求項２】
前記医用装置は、ネットワークを介して、ユーザ識別情報、ユーザが操作している前記医用装置を識別するための操作装置識別情報、及び前記ユーザ識別情報を特定するためのユーザ識別特定情報が対応付けて記憶するサーバ装置に接続され、
前記選択された医用装置本体の装置識別情報が前記操作装置識別情報として前記サーバ装置に記録されている限り、当該操作装置識別情報に対応付けられたユーザ識別情報により識別されるユーザからの操作のみを受け付ける受付部をさらに備える、
請求項１記載の医用装置。
【請求項３】
前記サーバ装置から送信されたユーザ識別情報を表示する表示手段と、を更に備える請求項２記載の医用装置。
【請求項４】
所定の条件を満たしたときに、前記選択された医用装置本体を操作するユーザに関するユーザ情報の操作装置識別情報を削除する旨の削除要求を前記サーバ装置に送信する削除要求送信手段、を更に備える請求項２記載の医用装置。
【請求項５】
複数の医用装置と、ユーザ識別情報、ユーザが操作している前記医用装置を識別するための操作装置識別情報、及び前記ユーザ識別情報を特定するためのユーザ識別特定情報とが対応付けられた複数のユーザ情報を記憶する記憶手段を有したサーバ装置とが通信可能に接続される医用装置操作システムであって、
前記各医用装置は、
前記ユーザ及び当該ユーザの動作と音声とを認識するユーザ認識手段と、
前記認識されたユーザの操作に応じて、前記ユーザ識別特定情報の入力を受け付けると、当該入力を受け付けたユーザ識別特定情報に対応付けられたユーザ識別情報を取得する旨の取得要求を前記サーバ装置に送信する取得要求送信手段と、
前記認識されたユーザの操作に応じて、当該ユーザが前記医用装置本体の１つを操作するとして選択した旨を認識すると、当該選択された医用装置本体を識別するための装置識別情報を、前記送信された取得要求に応じて前記サーバ装置から送信される当該ユーザのユーザ識別情報に対応付けられた操作装置識別情報として記録する旨の記録要求を前記サーバ装置に送信する記録要求送信手段と、を備え、
前記サーバ装置は、
前記各医用装置から送信された取得要求を受けると、当該取得要求に応じて、所望のユーザ識別情報を前記記憶手段から読出し、当該読出したユーザ識別情報を当該各医用装置にそれぞれ送信するユーザ識別情報送信手段と、
前記選択された医用装置から送信された記録要求を受けると、当該記録要求に応じて、所望の装置識別情報を、所望のユーザ識別情報に対応付けられた操作装置識別情報として前記記憶手段に書込む操作装置識別情報記録手段と、を備える、
ことを特徴とする医用装置操作システム。
【請求項６】
前記各医用装置は、前記選択された医用装置本体の装置識別情報が前記操作装置識別情報として前記サーバ装置に記録されている限り、当該操作装置識別情報に対応付けられたユーザ識別情報により識別されるユーザからの操作のみを受け付ける、ことを特徴とする請求項５記載の医用装置操作システム。
【請求項７】
前記各医用装置は、前記サーバ装置から送信されたユーザ識別情報を表示させる表示手段を更に備える、請求項５または請求項６に記載の医用装置操作システム。
【請求項８】
前記各医用装置は、所定の条件を満たしたときに、前記選択された医用装置本体を操作するユーザに関するユーザ情報の操作装置識別情報を削除する旨の削除要求を前記サーバ装置に送信する削除要求送信手段を更に備え、
前記サーバ装置は、前記選択された医用装置から送信された削除要求を受けると、当該削除要求に応じて、所望の操作装置識別情報を前記記憶手段から削除する操作装置識別情報削除手段を更に備える、
請求項５乃至請求項７のいずれか１項に記載の医用装置操作システム。
【発明の詳細な説明】
【技術分野】
【０００１】
本発明の実施形態は、医用装置及び医用装置操作システムに関する。
【背景技術】
【０００２】
近年、マウスやキーボード等を使用しないユーザインタフェース（以下、NUI: Natural User Interfaceと表記）が普及してきている。このＮＵＩを用いることで、操作者（ユーザ）は、直感的にパーソナルコンピュータ（PC: Personal Computer）等を操作することができる。
【０００３】
医用分野においては、ＮＵＩとして人物や物体の動きをデジタル的に読み取るモーションキャプチャ（motion capture）（例、Kinect（登録商標）等）を用いた医用装置操作システム等が開発されている。
【０００４】
この医用装置操作システムは、例えば、ユーザが自身から離れた場所に位置する医用装置を操作する際に、マウスやキーボード等の入力インタフェースに触れることなく、離れた場所に位置する医用装置を直感的に操作することを実現させることができる。
【先行技術文献】
【特許文献】
【０００５】
【特許文献１】特開平９−５６６９７号公報
【発明の概要】
【発明が解決しようとする課題】
【０００６】
しかしながら、上記した医用装置操作システムでは、例えば、当該医用装置操作システムに複数の医用装置が含まれ、複数のユーザがこれら医用装置を操作するような状況において、各医用装置の操作範囲が重複してしまうと、各医用装置は複数のユーザからの操作を受け付けてしまうという不都合がある。反対に、複数の装置がユーザの操作にあり、特定の装置のみにユーザを対応づけた場合、当該特定の装置以外がユーザの操作に反応しないという不都合が発生する。具体的には、超音波画像診断装置とビューワとが操作範囲にあり、超音波画像診断装置のみにユーザを対応付けた場合、当該ユーザの操作に超音波画像診断装置のみが反応し、当該ビューワが反応しない場合がある。
【０００７】
目的は、複数の医用装置の操作範囲が重複したとしても、各医用装置は複数のユーザからの操作を受け付けない、すなわち、特定のユーザからの操作のみを受け付け得る医用装置及び医用装置操作システムを提供することである。
【課題を解決するための手段】
【０００８】
実施形態の医用装置は、ユーザ識別情報と、ユーザが操作している医用装置本体を識別するための操作装置識別情報と、前記ユーザ識別情報を特定するためのユーザ識別特定情報とが対応付けられた複数のユーザ情報を記憶する記憶手段と、前記ユーザ及び当該ユーザの動作と音声とを認識するユーザ認識手段と、前記認識されたユーザの操作に応じて、前記ユーザ識別特定情報の入力を受け付けると、当該入力を受け付けたユーザ識別特定情報に対応付けられたユーザ識別情報を前記記憶手段から取得するユーザ識別情報取得手段と、前記認識されたユーザの操作に応じて、当該ユーザが前記医用装置本体を操作するとして選択した旨を認識すると、当該医用装置本体を識別するための装置識別情報を、前記取得されたユーザ識別情報に対応付けられた操作装置識別情報として前記記憶手段に書込む操作装置識別情報記録手段と、を具備する。
【図面の簡単な説明】
【０００９】
【図１】一実施形態に係る医用装置操作システムの構成例を示す模式図である。
【図２】同実施形態に係るユーザ情報記憶部に記憶されるユーザ情報のデータ構造の一例を示す模式図である。
【図３】同実施形態に係る医用装置操作システムの動作の一例を示すフローチャートである。
【図４】図３に示すフローチャートを補足的に説明するための模式図である。
【図５】図３に示すフローチャートを補足的に説明するための模式図である。
【図６】図３に示すフローチャートを補足的に説明するための模式図である。
【図７】図３に示すフローチャートを補足的に説明するための模式図である。
【図８】図３に示すフローチャートを補足的に説明するための模式図である。
【図９】図３に示すフローチャートを補足的に説明するための模式図である。
【図１０】図３に示すフローチャートを補足的に説明するための模式図である。
【図１１】図３に示すフローチャートの処理の後の医用装置操作システムの動作の一例を補足的に説明するための模式図である。
【図１２】図３に示すフローチャートの処理の後の医用装置操作システムの動作の一例を補足的に説明するための模式図である。
【図１３】図３に示すフローチャートの処理の後の医用装置操作システムの動作の一例を補足的に説明するための模式図である。
【発明を実施するための形態】
【００１０】
図１は、一実施形態に係る医用装置操作システムの構成例を示す模式図であり、図２は、同実施形態に係るユーザ情報記憶部に記憶されるユーザ情報のデータ構造の一例を示す模式図である。
【００１１】
図１に示すように、医用装置操作システムは、サーバ装置１０、ユーザ機器２０及び複数の医用装置３０ａ〜３０ｎを備えており、各装置１０，２０，３０ａ〜３０ｎは、ネットワーク（例、院内ネットワーク等）を介して接続される。
【００１２】
なお、本実施形態では、説明の簡略化のために、医用装置操作システムに含まれるユーザ機器２０が１台であると仮定するが、ユーザ機器２０の台数は特にこれに限定されるものではない。また、本実施形態では、医用装置操作システムに含まれるサーバ装置１０が各医用装置３０ａ〜３０ｎと通信可能に接続された構成について説明するが、医用装置操作システムの構成はこれに限定されず、例えば、サーバ装置１０が各医用装置３０ａ〜３０ｎに含まれる構成であっても良い。更に、本実施形態では、医用装置操作システムにユーザ機器２０が含まれる構成について説明するが、ユーザ機器２０は適宜省略されても構わない。なお、ユーザ機器２０を省略する場合の詳細については後述するため、ここでは詳細な説明は省略する。以下に、各装置１０，２０，３０ａ〜３０ｎの詳細な機能について説明する。
【００１３】
サーバ装置１０は、医用装置３０ａ〜３０ｎを操作する操作者（ユーザ）に関するユーザ情報を管理する装置であって、図１に示すように、ユーザ情報記憶部１１、通信部１２及び制御処理部１３を更に備えている。
【００１４】
ユーザ情報記憶部１１は、例えば図２に示すように、ユーザを識別するためのユーザ識別情報と、ユーザによって操作されている医用装置を識別するための操作装置識別情報と、ユーザ機器を識別するためのユーザ機器識別情報とが対応付けられた複数のユーザ情報を記憶する記憶装置である。
【００１５】
なお、本実施形態では、ユーザ識別情報はユーザの役職及び名称からなるもの（例、医師Ａ、看護師Ｂ、技師Ｃ等）とし、操作装置識別情報は医用装置の名称からなるもの（例、装置ア等）とし、ユーザ機器識別情報は１０進数を用いて表された所定の値からなるもの（例、0x0100、0x0020、0x0003等）とする。また、本実施形態では、ユーザ情報が、ユーザ識別情報、操作装置識別情報及びユーザ機器識別情報が対応付けられた情報であるとしたが、ユーザ情報のデータ構造はこれに限定されず、例えば、上記したユーザ機器識別情報に代えて、動作・音声情報が対応付けられるとしても良い。動作・音声情報とは、後述する医用装置３０ａ〜３０ｎにより認識される動作や音声を示す情報であり、例えば「指を鳴らす」、「手を２回叩く」といった動作や、「開始」といった音声等を示す情報である。なお、動作・音声情報は、後述する医用装置３０ａ〜３０ｎが被写体の動作や音声を認識すると、当該認識した動作や音声に従ってこれら医用装置３０ａ〜３０ｎが生成する、情報である。この動作・音声情報をユーザ機器識別情報に代えて用いる場合、ユーザの動作や音声が後述するユーザ機器２０から送信されるユーザ機器識別情報に相当するため、医用装置操作システムからユーザ機器２０を省略することができる。なお、ユーザ機器識別情報及び動作・音声情報は共に、後述にて詳細は説明するが、ユーザ識別情報を特定する際に用いられる情報であるため、ユーザ識別特定情報と称されても良い。
【００１６】
通信部１２は、複数の医用装置３０ａ〜３０ｎとの通信の制御を司る機能を有する。
【００１７】
制御処理部１３は、ユーザの操作に応じて各種処理を実行するものであり、例えば、ユーザ情報記憶部１１に記憶されたユーザ情報の読出処理／書込処理を実行する。なお、制御処理部１３が実行する各種処理については後述するため、ここでは詳細な説明は省略する。
【００１８】
ユーザ機器２０は、医用装置３０ａ〜３０ｎを操作するためにユーザが使用する装置であって、図１に示すように、通信部２１及びユーザ機器識別情報送信部２２を更に備えている。なお、ユーザ機器２０としては、例えば、可視光または不可視光を適宜発生可能な発光バンド（や色バンド）等が用いられる。
【００１９】
通信部２１は、複数の医用装置３０ａ〜３０ｎとの通信の制御を司る機能を有する。
【００２０】
ユーザ機器識別情報送信部２２は、ユーザの操作（例えば、発光バンドに設けられたスイッチを押下する、発光バンドに衝撃を与える等）に応じて、ユーザ機器２０を識別するためのユーザ機器識別情報、すなわち、ユーザ機器固有のユーザ機器識別情報を各医用装置３０ａ〜３０ｎに送信する機能を有する。
【００２１】
なお、上記したように、サーバ装置１０に記憶されたユーザ情報に、ユーザ機器識別情報に代えて動作・音声情報が含まれる場合、ユーザは、特定の動作や発声を行う（例えば、指を鳴らす、手を２回叩く、開始と発声する等）ことで、ユーザ機器識別情報に相当する動作や音声を各医用装置３０ａ〜３０ｎに認識させる。これにより、医用装置操作システムからユーザ機器２０を省略することができる。
【００２２】
各医用装置３０ａ〜３０ｎの機能ブロック構成は、互いに同一のため、ここでは医用装置３０ａの機能ブロック構成を代表例に挙げて述べる。
【００２３】
医用装置３０ａは、後述する動作・音声認識部３２ａが搭載された各種医療機器（例、電子カルテ・検査オーダ、超音波画像診断装置、読影装置、超音波・Ｘ線画像診断装置、電子カルテ・画像ビューア、Ｘ線ＣＴ（Computed Tomography）装置、ＭＲＩ（Magnetic Resonance Imaging）装置等）であって、図１に示すように、通信部３１ａ、動作・音声認識部３２ａ、識別情報付与部３３ａ、ユーザ識別情報取得部３４ａ、装置識別情報送信部３５ａ及び表示部３６ａを備えている。
【００２４】
通信部３１は、サーバ装置１０やユーザ機器２０との通信の制御を司る機能を有する。
【００２５】
動作・音声認識部３２ａは、被写体の動作や音声を認識する機能を有しており、例えば、カメラやマイクを有したモーションキャプチャ機能をもつ装置等である。具体的には、動作・音声認識部３２ａとしては、Kinect等が用いられる。なお、動作・音声認識部３２ａは、医用装置３０ａには含めず、医用装置３０ａとは別の装置として、医用装置操作システムに含めるとしても良い。
【００２６】
識別情報付与部３３ａは、動作・音声認識部３２により被写体が認識されると、当該被写体に対して医用装置３０ａの装置識別情報を付与する。なお、動作・音声認識部３２により複数の被写体が認識された場合、識別情報付与部３３ａは、例えば、当該複数の被写体のそれぞれに対して医用装置３０ａの装置識別情報に枝番（例、装置識別情報−１、装置識別情報−２等）を付した識別情報を付与する。
【００２７】
ユーザ識別情報取得部３４ａは、ユーザ機器２０から送信されたユーザ機器識別情報の入力を受け付けると、当該入力を受け付けたユーザ機器識別情報に対応付けられたユーザ識別情報をサーバ装置１０から取得する、すなわち、当該入力を受け付けたユーザ機器識別情報に対応付けられたユーザ識別情報を取得する（読出す）旨の取得要求をサーバ装置１０に送信する機能を有する。
【００２８】
サーバ装置１０の制御処理部１３は、ユーザ識別情報取得部３４ａから送信された取得要求を受けると、当該取得要求に応じて、所望のユーザ機器識別情報に対応付けられた所望のユーザ識別情報をユーザ情報記憶部１１から読出し、当該読出したユーザ識別情報を医用装置３０ａに送信（返信）する。
【００２９】
なお、上記したようにユーザ機器２０が省略される場合、まず、ユーザ識別情報取得部３４ａは、動作・音声認識部３２ａにより被写体の動作や音声が認識されると、当該認識された動作や音声を示すようにして生成された動作・音声情報を動作・音声認識部３２ａから取得する。そして、ユーザ識別情報取得部３４ａは、上記取得した動作・音声情報に対応付けられたユーザ識別情報を取得する旨の取得要求をサーバ装置１０に送信する。これにより、サーバ装置１０の制御処理部１３は、ユーザ識別情報取得部３４ａから送信された取得要求を受けると、当該取得要求に応じて、所望の動作・音声情報に対応付けられたユーザ識別情報をユーザ情報記憶部１１から読出し、当該読出したユーザ識別情報を医用装置３０ａに送信する。
【００３０】
装置識別情報送信部３５ａは、ユーザの操作（例えば、医用装置を指さす、医用装置の名称を発声する、発光バンドに設けられた装置選択機能を用いる等）に応じて、当該医用装置３０ａが使用する医用装置として選択された旨を認識すると（すなわち、当該ユーザが複数の医用装置３０ａ〜３０ｎのうち医用装置３０ａを操作するとして選択した旨を認識すると）、当該ユーザのユーザ識別情報と当該医用装置３０ａの装置識別情報とをサーバ装置１０に送信する、すなわち、当該装置識別情報を、当該ユーザ識別情報に対応付けられた操作装置識別情報として記録する（書込む）旨の記録要求をサーバ装置１０に送信する。
【００３１】
サーバ装置１０の制御処理部１３は、装置識別情報送信部３５ａから送信された記録要求を受けると、当該記録要求に応じて、所望の装置識別情報を、所望のユーザ識別情報に対応付けられた操作装置識別情報としてユーザ情報記憶部１１に書込む。
【００３２】
表示部３６ａは、図示しない表示装置（例、医用装置３０ａに設けられたディスプレイ等）に各種情報を表示させる機能を有しており、例えば、サーバ装置１０から送信されたユーザ識別情報を、動作・音声認識部３２により認識された被写体の画像と共に、図示しない表示装置に表示させる。
【００３３】
なお、上記した医用装置３０ａは、図示しないＣＰＵ（Central Processing Unit）によって各部が制御され、また、図示しない操作部（例、マウスやキーボード等）を介して操作者が操作することも可能であり、更には、図示しないメモリや画像記憶装置が備えられているものとする。
【００３４】
次に、以上のように構成された医用装置操作システムの動作の一例について、図３のフローチャートと、図４〜図１０の模式図とを参照しながら説明する。但し、ここでは、サーバ装置１０と、１台のユーザ機器２０と、２台の医用装置３０ａ，３０ｂとを含む医用装置操作システムの動作の一例について説明する。また、サーバ装置１０のユーザ情報記憶部１１には、図２に示したユーザ情報が記憶されているものとする。更に、以下の説明では、記載を簡潔にする観点から、送受信に通信部を介在させている旨の記載を省略する。また、以下に示す各種処理は、図示しないＣＰＵが予め記憶されたプログラムに従って各部を制御することで実行されるものである。
【００３５】
始めに、医用装置３０ａ，３０ｂの識別情報付与部３３ａ，３３ｂは共に、動作・音声認識部３２ａ，３２ｂにより認識された被写体に対して、装置識別情報を付与する（ステップＳ１）。ここでは、例えば図４に示すように、識別情報付与部３３ａは被写体に対して装置識別情報「装置ア」を付与し、識別情報付与部３３ｂは被写体に対して装置識別情報「装置イ」を付与したものとする。なお、ステップＳ１の処理が終了した時点では、医用装置３０ａ，３０ｂは、それぞれ装置識別情報を付与した被写体が同一（人物）であるか否かは認識できていない。
【００３６】
続いて、ユーザ機器２０のユーザ機器識別情報送信部２２は、ユーザ（すなわち、上記したステップＳ１の処理により装置識別情報が付与された被写体）の操作に応じて、当該ユーザ機器２０のユーザ機器識別情報を各医用装置３０ａ，３０ｂに送信する（ステップＳ２）。ここでは、ユーザ機器２０が発光バンドであり、当該発光バンドがユーザの操作に応じて発光し、例えば図５に示すように、ユーザ機器識別情報「0x0100」を各医用装置３０ａ，３０ｂに送信したものとする。
【００３７】
次に、医用装置３０ａ，３０ｂのユーザ識別情報取得部３４ａ，３４ｂは共に、ユーザ機器２０から送信されたユーザ機器識別情報の入力を受け付けると、当該入力を受け付けたユーザ機器識別情報に対応付けられたユーザ識別情報をサーバ装置１０から取得する（ステップＳ３）。ここでは、ユーザ識別情報取得部３４ａ，３４ｂは共に、ユーザ機器識別情報「0x0100」に対応付けられたユーザ識別情報「医師Ａ」をサーバ装置１０から取得する。より詳細には、ユーザ識別情報取得部３４ａ，３４ｂは、例えば図６に示すように取得要求をサーバ装置１０に送信した後に、例えば図７に示すように当該取得要求に応じてサーバ装置１０から送信されたユーザ識別情報「医師Ａ」の入力を受け付ける、すなわち、ユーザ識別情報「医師Ａ」を取得する。これにより、医用装置３０ａ，３０ｂは、上記したステップＳ１の処理において装置識別情報「装置ア」、「装置イ」をそれぞれ付与した被写体が、ユーザ識別情報「医師Ａ」により識別されるユーザ（医師Ａ）であると認識する。
【００３８】
続いて、医用装置３０ａ，３０ｂの表示部３６ａ，３６ｂは共に、上記したステップＳ３の処理により取得されたユーザ識別情報を、動作・音声認識部３２ａ，３２ｂにより認識された被写体（ユーザ）の画像と共に、図示しない表示装置に表示させる（ステップＳ４）。ここでは、表示部３６ａ，３６ｂは、例えば図８に示すように、ユーザ識別情報「医師Ａ」を被写体の（顔を示す）画像と共に、図示しない表示装置に表示させる。なお、本動作例とは異なるが、上記したステップＳ３の処理により複数のユーザ識別情報が取得された場合、表示部３６ａ，３６ｂは、例えば図９に示すように、取得された全てのユーザ識別情報を、動作・音声認識部３２ａ，３２ｂにより認識された被写体の画像と共に、図示しない表示装置に表示させ、複数のユーザ識別情報から自身のユーザ識別情報を選択するようユーザに促す。また、表示部３６ａ，３６ｂは、ユーザ識別情報を取得した順序毎に医用装置３０ａ，３０ｂにそれぞれ割り振られる応答ＩＤを更に表示させるとしても良い。
【００３９】
なお、以下の説明では、例えば図１０に示すように、ユーザの医用装置を指さす操作に応じて、当該ユーザが使用する医用装置として医用装置３０ａが選択されたものとする、すなわち、医用装置３０ａは、ユーザが使用する医用装置として自装置が選択された旨を認識しているものとする。このため、以下の処理の主体は医用装置３０ａのみとなる。
【００４０】
しかる後、医用装置３０ａの装置識別情報送信部３５ａは、ユーザの操作に応じて、当該医用装置３０ａが使用する医用装置として選択された旨を認識すると、当該医用装置３０ａの装置識別情報を、当該ユーザのユーザ識別情報に対応付けられた操作装置識別情報としてサーバ装置１０に書込み（ステップＳ５）、処理を終了させる。ここでは、例えば図１０に示すように、装置識別情報送信部３５ａは、装置識別情報「装置ア」を、ユーザ識別情報「医師Ａ」に対応付けられた操作装置識別情報としてサーバ装置１０に書込む。より詳細には、装置識別情報送信部３５ａは、装置識別情報「装置ア」をユーザ識別情報「医師Ａ」に対応付けられた操作装置識別情報として記録する旨の記録要求をサーバ装置１０に送信し、サーバ装置１０の制御処理部１３が、当該記録要求に応じて、装置識別情報「装置ア」をユーザ識別情報「医師Ａ」に対応付けられた操作装置識別情報としてユーザ情報記憶部１１に書込む。
【００４１】
上記したステップＳ１〜ステップＳ５の処理は、所望の医用装置を特定のユーザにのみ操作可能とするまでの処理である。以下に、所望の医用装置を特定のユーザにのみ操作可能とした後の医用装置操作システムの処理について、図１１〜図１３を参照しながら補足的に説明する。
【００４２】
上記したステップＳ５の処理の後に、医用装置３０ａは、ユーザ機器識別情報「0x0100」により識別されるユーザ機器２０を有するユーザ（医師Ａ）を追跡し、医師Ａの操作に従って、各種処理を実行する。このとき、例えば図１１に示すように、医師Ａにより選択されなかった（すなわち、医師Ａにより選択された旨を認識できなかった）医用装置３０ｂは、医師Ａに対して上記したステップＳ１〜ステップＳ３の処理を再度実行する。この場合、上記したステップＳ３の処理において、医用装置３０ｂはユーザ識別情報「医師Ａ」を取得することができない。すなわち、サーバ装置１０が、ユーザ情報記憶部１１に記憶された医師Ａに関するユーザ情報の操作装置識別情報が「装置ア」を示すため、医師Ａは医用装置３０ａを既に操作していると判断し、医用装置３０ｂから送信された取得要求に応答しない、又はユーザ識別情報「医師Ａ」の代わりに、医師Ａが別の医用装置を既に操作している旨を通知する。
【００４３】
また、上記ステップＳ５の処理の後に、例えば図１２に示すように、医師Ａとは別のユーザ（被写体）が医用装置３０ａ，３０ｂの周囲に現れたとしても（すなわち、医用装置３０ａ，３０ｂの動作・音声認識部３２ａ，３２ｂが被写体を認識可能な範囲にユーザが現れたとしても）、医用装置３０ａは、医師Ａにより既に操作されているとして、新たに現れた被写体に対して上記したステップＳ１の処理を実行しない、すなわち、医用装置３０ａは、医師Ａ以外のユーザの操作を受け付けない。
【００４４】
一方、医用装置３０ｂは、いずれのユーザからも操作されていないため、新たに現れた被写体に対して上記したステップＳ１の処理を実行する。
【００４５】
なお、上記したステップＳ５の処理の後に、例えば図１３に示すように、医用装置３０ａは、予め設定された特定の条件（例えば、ユーザによる特定の動作を認識する、ユーザを追跡不能、発光バンドに設けられた操作終了機能が用いられる等）を満足したときに、サーバ装置１０のユーザ情報記憶部１１に記憶された医師Ａ（すなわち、医用装置３０ａを操作しているユーザ）に関するユーザ情報の操作装置識別情報「装置ア」を削除する旨の削除要求をサーバ装置１０に送信する。サーバ装置１０は、医用装置３０ａから送信された削除要求を受けると、当該削除要求に応じて、ユーザ識別情報「医師Ａ」に対応付けられた操作装置識別情報「装置ア」をユーザ情報記憶部１１から削除する。これにより、医用装置３０ａは、いずれのユーザも追跡していない（すなわち、いずれのユーザからも操作されていない）状態に戻る。
【００４６】
なお、本実施形態に係る医用装置３０ａ〜３０ｎは、例えば、正常に動作している旨の通知をサーバ装置１０に定期的に送信する機能を更に有していても良い。これにより、サーバ装置１０は、医用装置３０ａ〜３０ｎから送信される当該通知の入力を所定の期間受け付けていないとき、すなわち、当該通知が所定の期間送信されてこなかったとき、この通知を送信していない医用装置が正常に動作していないと判断して、当該医用装置の装置識別情報を操作装置識別情報として有するユーザ情報から当該操作装置識別情報を強制的に削除することができる。
【００４７】
以上説明した一実施形態によれば、医用装置が、当該医用装置の装置識別情報を、所望のユーザのユーザ識別情報に対応付けられた操作装置識別情報としてサーバ装置に記録する旨の記録要求を送信し、サーバ装置が、当該記録要求に応じて、所望の装置識別情報を、所望のユーザ識別情報に対応付けられた操作装置識別情報として記録することができるので、複数の医用装置の操作範囲が重複したとしても、各医用装置は複数のユーザからの操作を受け付けない、すなわち、特定のユーザからの操作のみを受け付けることができる。
【００４８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１０…サーバ装置、１１…ユーザ情報記憶部、１２…通信部、１３…制御処理部、２０…ユーザ機器、２１…通信部、２２…ユーザ機器識別情報送信部、３０ａ，３０ｂ，３０ｎ…医用装置、３１ａ，３１ｎ…通信部、３２ａ，３２ｎ…動作・音声認識部、３３ａ，３３ｎ…識別情報付与部、３４ａ，３４ｎ…ユーザ識別情報取得部、３５ａ，３５ｎ…装置識別情報送信部、３６ａ，３６ｎ…表示部。
【図１】
2015066376.tif 000003
【図２】
2015066376.tif 000004
【図３】
2015066376.tif 000005
【図４】
2015066376.tif 000006
【図５】
2015066376.tif 000007
【図６】
2015066376.tif 000008
【図７】
2015066376.tif 000009
【図８】
2015066376.tif 000010
【図９】
2015066376.tif 000011
【図１０】
2015066376.tif 000012
【図１１】
2015066376.tif 000013
【図１２】
2015066376.tif 000014
【図１３】
2015066376.tif 000015